(57)【要約】【課題】灯具本体と電源部との間において熱の伝導を抑えた埋込型照明器具を提供する。【解決手段】取付面である天井Ｃの取付穴Ｈに埋め込まれて設置される埋込型照明器具１００であって、光源部２１を有する灯具本体１１と、前記光源部２１に給電する電源部５１と、前記電源部５１を前記灯具本体１１の側方に保持して前記灯具本体１１に取り付ける保持部材６１と、を備え、前記保持部材６１は、前記灯具本体１１に点接触で取り付けられる。【選択図】図１
2015149124.tif 000002
【特許請求の範囲】
【請求項１】
取付面の取付穴に埋め込まれて設置される埋込型照明器具であって、
光源部を有する灯具本体と、
前記光源部に給電する電源部と、
前記電源部を前記灯具本体の側方に保持して前記灯具本体に取り付ける保持部材と、を備え、
前記保持部材は、前記灯具本体に点接触で取り付けられる、埋込型照明器具。
【請求項２】
請求項１に記載の埋込型照明器具であって、
前記保持部材は、前記電源部の一部を構成する、埋込型照明器具。
【請求項３】
請求項１または請求項２に記載の埋込型照明器具であって、
前記灯具本体は、ヒートシンクを有し、
前記保持部材は、前記ヒートシンクに点接触で取り付けられる、埋込型照明器具。
【請求項４】
請求項３に記載の埋込型照明器具であって、
前記ヒートシンクは、放熱フィンを有し、
前記保持部材は、前記放熱フィンの基端近傍に点接触で取り付けられる、埋込型照明器具。
【請求項５】
請求項１から請求項４のいずれか一項に記載の埋込型照明器具であって、
前記保持部材は、バネ材で形成される、埋込型照明器具。
【請求項６】
請求項１から請求項５のいずれか一項に記載の埋込型照明器具であって、
前記保持部材の一端側が、前記灯具本体に点接触した状態で軸支され、該軸を中心にして前記保持部材の他端側が側面方向に回動可能である、埋込型照明器具。
【請求項７】
請求項１から請求項６のいずれか一項に記載の埋込型照明器具であって、
前記電源部は、前記保持部材が有する前記取付面に対向する対向面の反対側の面上に設けられる、埋込型照明器具。
【発明の詳細な説明】
【技術分野】
【０００１】
本発明は、埋込型照明器具に関する。
【背景技術】
【０００２】
従来、天井等に形成された取付穴に埋め込まれて取り付けられるダウンライト型の埋込型照明器具が知られている。この種の埋込型照明器具は、取付穴において照射方向に向けて配置される光源部と、該光源部を有する灯具本体と、該灯具本体の側方に延設される電源部と、灯具本体を取付穴に固定する固定手段として取付バネを備えたものが知られている（例えば、特許文献１参照）。
【０００３】
特許文献１には、反射笠の下縁が天井の開口縁に取り付けられる略逆Ｌ状の天井埋め込み灯において、天井内で横方向に延びるシャーシをバネ性にするとともに、このシャーシの延出部下面に、電源部となるインバータ等の所要部品を固定した天井埋め込み灯が開示されている。
【先行技術文献】
【特許文献】
【０００４】
【特許文献１】特開２００１−３５７７１７号公報
【発明の概要】
【発明が解決しようとする課題】
【０００５】
しかしながら、特許文献１に開示された埋込型照明器具においては、灯具本体と電源部とがシャーシの下面に当接した状態で連結される構成である。このような構成の場合、灯具本体から発生する熱と電源部で発生する熱とが灯具本体と電源とを連結するシャーシを介して、相互に伝熱し易くなり、照明器具の放熱性を確保する上で望ましいものではない。そのため、特許文献１に開示されるような、灯具本体と電源部とを連結する構成の埋込型照明器具では、灯具本体と電源部とからそれぞれ発生する熱を極力分離して、灯具本体と電源部との間において熱の伝導を抑える構成のものが望まれる。
【０００６】
そこで、本発明は、上記課題に鑑みてなされたものであり、灯具本体と電源部との間において熱の伝導を抑えた埋込型照明器具を提供することを目的とする。
【課題を解決するための手段】
【０００７】
本発明の解決しようとする課題は以上の如くであり、次にこの課題を解決するための手段を説明する。
【０００８】
即ち、本願に開示する埋込型照明器具は、
取付穴に埋め込まれて設置される埋込型照明器具であって、
取付面の取付穴に埋め込まれて設置される埋込型照明器具であって、
光源部を有する灯具本体と、
前記光源部に給電する電源部と、
前記電源部を前記灯具本体の側方に保持して前記灯具本体に取り付ける保持部材と、を備え、
前記保持部材は、前記灯具本体に点接触で取り付けられるものである。
【０００９】
本願に開示する埋込型照明器具において、
前記保持部材は、前記電源部の一部を構成することが好ましい。
【００１０】
本願に開示する埋込型照明器具において、
前記灯具本体は、ヒートシンクを有し、
前記保持部材は、前記ヒートシンクに点接触で取り付けられることが好ましい。
【００１１】
本願に開示する埋込型照明器具において、
前記ヒートシンクは、放熱フィンを有し、
前記保持部材は、前記放熱フィンの基端近傍に点接触で取り付けられることが好ましい。
【００１２】
本願に開示する埋込型照明器具において、
前記保持部材は、バネ材で形成されることが好ましい。
【００１３】
本願に開示する埋込型照明器具において、
前記保持部材の一端側が、前記灯具本体に点接触した状態で軸支され、該軸を中心にして前記保持部材の他端側が側面方向に回動可能であることが好ましい。
【００１４】
本願に開示する埋込型照明器具において、
前記電源部は、前記保持部材が有する前記取付面に対向する対向面の反対側の面上に設けられることが好ましい。
【発明の効果】
【００１５】
本発明によれば、灯具本体と電源部との間において熱の伝導を抑えることができる。
【図面の簡単な説明】
【００１６】
【図１】本発明の一実施形態に係る埋込型照明器具を斜め下方から見た斜視図。
【図２】埋込型照明器具を斜め上方から見た斜視図。
【図３】埋込型照明器具を示す平面図。
【図４】埋込型照明器具を取付穴に取り付けた状態を示す一方側面図。
【図５】図３のＡ−Ｏ−Ａ′線拡大断面図。
【図６】灯具本体を示す他方側面図。
【図７】灯具本体を光源部側から見た下面図。
【図８】ヒートシンクの点接触部（支持部材を取り外した状態）を示す斜視図。
【図９】図４のＢ−Ｂ′線断面図であり、保持部材が点接触部に接触した状態を示す図。
【発明を実施するための形態】
【００１７】
本発明の実施形態に係る埋込型照明器具１００について、図１から図９を用いて説明する。埋込型照明器具１００は、図４に示すように取付面となる天井Ｃに形成された、例えば、丸型の取付穴Ｈに埋め込まれて設置されるダウンライトである。以下の説明では、埋込型照明器具１００の上下方向は、埋込型照明器具１００が天井Ｃに設置された状態における上下方向（図４における上下方向）として説明する。上下方向に直交する方向を径方向として説明する。また、本実施形態の説明において、上方から埋込型照明器具１００等を視た状態を平面視とする。上下方向に対して直交方向から埋込型照明器具１００等を視た状態を側面視とする。埋込型照明器具１００等の断面形状を視た状態を断面視とする。
【００１８】
埋込型照明器具１００は、図１、図２に示すように、灯具本体１１と、電源部５１と、保持部材６１とを主に備える。
【００１９】
灯具本体１１は、光源部２１、反射部３１、ヒートシンク４１、及び取付バネ７１を有している。
【００２０】
光源部２１は、埋込型照明器具１００の照射面側に向けて光を出射する部分である。光源部２１は、図５に示すように、ヒートシンク４１の光源配置部４４内に設けられており、基板２２、パネルホルダ２３、パネル２４を有している。
【００２１】
基板２２は、平板状に加工された基板面に、点光源である複数のＬＥＤ素子２５を備えたＬＥＤモジュールである。複数のＬＥＤ素子２５は、パネルホルダ２３の開口部２６に対応するように配置される。基板２２は、ヒートシンク４１の光源配置部４４の下側表面４４ａに当接して配置され、ネジ等の取付部材により取り付けられる。基板２２は、電線２０によって電源部５１と電気的に接続されている。ＬＥＤ素子２５は、点灯時に発熱する。ＬＥＤ素子２５から発する熱は、基板２２に伝わる。基板２２に伝わった熱は、基板２２が光源配置部４４に当接しているため、光源配置部４４に伝わる。
なお、本実施形態では、光源としてＬＥＤ素子（表面実装タイプのＬＥＤ素子）を用いたが、光源の種類はＬＥＤ素子に限定されず、例えばＣＯＢ型発光モジュールや有機ＥＬ素子（ＯＬＥＤ）などであっても実現可能である。
また、基板２２は、熱伝導性シート（図示せず）や放熱グリスを介して光源配置部４４に取り付けてもよく、これにより、より高い放熱性を得ることができる。
【００２２】
パネルホルダ２３は、パネル２４と基板２２とを所定間隔で離間しつつ、パネル２４をパネルホルダ２３の下端と反射部３１の上端との間に挟持する笠状部材である。パネルホルダ２３は、ヒートシンク４１の光源配置部４４内にネジ等の取付部材によって取り付けられる。パネルホルダ２３の上端は、中央部において円形状の開口部２６が形成され、該開口部２６から延設される周壁部２７が下方に行くに従って広がる斜面状に形成されている。周壁部２７の内周面は、ＬＥＤ素子２５から発光される光を反射する反射面となっている。パネルホルダ２３は、ＬＥＤ素子２５から発光された光のうち、側方に向かう光を反射面で反射させ、前方に向かうように配光制御する。すなわち、反射面が形成されたパネルホルダ２３により、ＬＥＤ素子２５の前方以外の方向に出た光を反射させて、ＬＥＤ素子２５から発光される光が、効率よく集光される。
なお、本実施形態のパネルホルダ２３としては、周壁部２７が下方に行くに従って広がる斜面状に形成したものを説明したが、パネルホルダの形状はこれに限定されない。例えば、パネルホルダの形状として、周壁部が下方に行くに従って広がる放物面状に形成されるものであっても良い。
【００２３】
パネル２４は、反射部３１の上方側の開口部３２を閉塞し、ヒートシンク４１の光源配置部４４内に配置されたＬＥＤ素子２５からの光を透過及び拡散させて、照射面を形成する部材である。パネル２４は、透光性を有する樹脂素材やガラス素材等で形成される。本実施形態においては、アクリル樹脂を用いてパネル２４を作成した。パネル２４は、図５に示すように、平面視形状が円形で下方に突出するドーム状に形成されている。パネル２４は、下部の周縁部に径方向外側に突出するパネルフランジ部２８を有する。パネルフランジ部２８の下面には、環状に形成されて下方に突出する凸状の係止部２９を有する。パネル２４は、反射部３１の上端のパネル保持部３４に位置決めされた状態で、反射部３１の上端とパネルホルダ２３の下端とで挟持され、ＬＥＤ素子２５に対向する位置に保持される。
なお、パネル２４の形状は、図７等に示すような円形形状に限らず、四角形等の多角形でも良い。また、下方に突出するドーム状に限らず、上方に突出する形状や平面状等でも良い。
【００２４】
反射部３１は、パネル２４を中心にして下方に向かって椀状に開いた形状の光源用リフレクターである。反射部３１は、図５に示すように、開口部３２、断面視略ハ字状の周壁部３３、パネル保持部３４、及びフランジ部３５有している。反射部３１は、中央部において円形状の開口部３２が形成され、該開口部３２から延設される周壁部３３が下方に行くに従って広がる放物面状に形成される。周壁部３３の内周面は、ＬＥＤ素子２５から発光される光を反射する反射面となっている。反射部３１は、樹脂素材や金属素材等を用いて形成されている。本実施形態においては、ＡＥＳ樹脂を用いて反射部３１を作成した。反射部３１は、その断面形状において上面側及び下面側が開口形成されている。パネル保持部３４は、周壁部３３の上端に設けられ、パネル２４のパネルフランジ部２８を保持する断面視Ｌ字状の部分である。パネル支持部３４には、パネルフランジ部２８が有する凸状の係止部２９を係止するための環状で凹状の係止部３６が形成されている。パネル２４は、パネルフランジ部２８が有する係止部２９が係止部３６に係止されることで反射部３１の上端に位置決めされる。
なお、反射部３１の平面視形状は、図７等に示すような円形形状に限らず、四角形等の多角形でもよく、種々の取付穴の開口形状に取り付け可能な形状であってもよい。
【００２５】
フランジ部３５は、周壁部３３の下部の外周縁から径方向外側に突出して環状に形成される鍔部である。フランジ部３５は、埋込型照明器具１００を天井Ｃの取付穴Ｈに設置した状態で取付穴Ｈの周縁部を覆う部分である。フランジ部３５の上面には、反射部３１を取付穴Ｈに取り付けた際に、反射部３１と取付穴Ｈの周縁部との隙間を塞ぐための平面視環状の枠パッキン３７が設けられている。フランジ部３５は、天井Ｃの下面側に枠パッキン３７を介して取付穴Ｈの周縁部を覆う。
【００２６】
ヒートシンク４１は、熱伝導率の高いアルミニウム等の金属素材からなる放熱部材である。ヒートシンク４１は、基部４２と、放熱フィン４３と、光源配置部４４と、保持部材配置部４５と、ボス４６、点接触部４７と、取付バネ７１を取り付けるバネ取付部４８を有している。
【００２７】
基部４２は、有底略円筒状である部分である。基部４２は、上部に円板形状の上板部４２ａを有している。上板部４２ａには、平面視において互いが略平行をなすとともに、上方に立設する複数の放熱フィン４３・４３・・・が形成されている。図５に示すように、基部４２には、凹状で光源部２１を配置するための光源配置部４４が形成されている。上板部４２ａには、基板２２に電気的に接続される電線２０を挿通するとともに、基部４２上方側に導く貫通孔４２ｂ（図８参照）が形成されている。
【００２８】
放熱フィン４３は、基部４２上から複数突出して形成される板状の放熱部材ある。放熱フィン４３は、径方向において電源部５１に対向する側を切り欠いた形状となっている。すなわち、基部４２において電源部５１に対向する側の表面には、放熱フィン４３が設けられていない。
光源部２１から発した熱は、基部４２（光源配置部４４）を介してヒートシンク４１全体に伝わる。
【００２９】
保持部材配置部４５は、図８に示すように、基部４２上において放熱フィン４３を設けていない部分である。保持部材配置部４５の内側領域には、該保持部材配置部４５よりやや小さい平面視略弓形形状に下方に穿った穿設部５０が設けられている。穿設部５０には、該穿設部５０から光源配置部４４へと貫通する貫通孔４２ｂが設けられており、基板２２に電気的に接続される電線２０を挿通可能である。
【００３０】
ボス４６は、電源部５１に対向する側において基部４２の側部に上下方向に沿って設けられる略円柱状のものである。ボス４６は、ネジ８１を螺合可能なネジ螺合部４６ａを有する。ボス４６は、平面視において保持部材配置部４５外周縁における埋込型照明器具１００の幅方向の中央に設けられる。ボス４６の上面は、保持部材配置部４５の一部を構成しており、保持部材配置部４５の上面と面一である。
なお、本実施形態において、図３における埋込型照明器具１００の短手方向を埋込型照明器具１００の幅方向をいう（以下では、単に幅方向ともいう）。
【００３１】
点接触部４７は、図８、図９に示すように、保持部材配置部４５におけるボス４６の上面に複数（本実施形態では３つ）形成され、保持部材６１の一端側の一側面（下面）に点接触して接続するための凸状の突起である。点接触部４７は、ボス４６の上面に立設される断面山形状の突起である。点接触部４７は、ボス４６の上面においてネジ螺合部４６ａを中心として放射状となる位置（１２０°の間隔となる位置）に立設される。３つの点接触部４７は、高さ寸法（上下方向の寸法）が略同じである。保持部材配置部４５に保持部材６１の一端側が配置された状態(図２に示す状態)で、保持部材６１（支持板部６３）の一端側であって幅方向の中央部がネジ８１によってボス４６に取り付けられる。本実施形態の点接触部４７は、保持部材６１（支持板部６３）の一端側の一端面（下面）を３点支持することができる。点接触部４７により保持部材６１（支持板部６３）を３点支持した状態では、保持部材配置部４５の上面と保持部材６１（支持板部６３）の一端側の一端面（下面）との間に、図９に示すように所定の寸法のクリアランス（隙間）Ｄが形成される。このクリアランスＤは、点接触部４７の高さ寸法(上下方向の寸法)と略同じ寸法となる。
なお、点接触部４７の形状は断面山形状であるため、保持部材６１は点接触部４７の稜線に接することになる。本実施形態では、この接触状態も「点接触」に含むこととする。すなわち、本実施形態における「点接触」は線接触を含む。
【００３２】
点接触部４７の形状は、本実施形態に限定されるものでなく、保持部材６１と点接触できる他の形状でもよい。点接触できる他の形状としては、例えば、点接触部の断面が三角形状となる円錐形状や三角錐形状や四角錐形状や半球状とすること等が可能である。この場合、保持部材６１と接する点接触部の先端の厳密な微小形状は、半球状となる。また、点接触部の断面が台形や長方形となる形状を選択することも可能である。この場合、保持部材６１と接する点接触部の先端の形状は、平面形状となる。
また、本実施形態でいう点接触とは、厳密な点による接触のみを意図するものではない。点接触部において、保持部材６１と接触する先端部分は、保持部材６１の側面方向への回動を妨げない程度の範囲で所定の面積を有していても構わない。
また、本実施形態では、３つの点接触部４７により３点支持としたが限定するものではない。例えば、３つ以上の複数の点接触部により保持部材６１を複数点支持する構成とすることもできる。
また、本実施形態では、点接触部４７をボス４６の上面に設けたが特に限定するものではなく、ボス４６の上面以外にも保持部材配置部４５における任意の位置に点接触部を設けることができる。
【００３３】
バネ取付部４８は、取付バネ７１をヒートシンク４１に取り付ける部分である。バネ取付部４８は、ヒートシンク４１の基部４２の周縁に略均等配置されるように複数個（本実施形態では、２個）設けられている。バネ取付部４８は、取付バネ７１を当接してネジ５７で取り付けるためのものである。
【００３４】
取付バネ７１は、埋込型照明器具１００を天井Ｃの取付穴Ｈに埋め込んで取り付けるための固定手段である。取付バネ７１は、基部４２の周縁に略均等配置されたバネ取付部４８に配設される。取付バネ７１は、ステンレス素材等の板状金属部材の中途部を複数箇所屈曲及び湾曲させて形成された板バネである。取付バネ７１は、図６に示すように、略Ｖ字状に形成された板バネであり、基端部がヒートシンク４１のバネ取付部４８に当接してネジ５７により固定されるとともに、自由端部が灯具本体１１側方に延出されるものである。図５に示すように、取付バネ７１を屈曲した状態で埋込型照明器具１００を天井Ｃの取付穴Ｈに設置した場合、取付バネ７１は、取付バネ７１が広がろうとする弾性力によって取付穴Ｈの周縁を押圧することでフランジ部３５との間で天井Ｃを挟持し、埋込型照明器具１００を天井Ｃに固定する。
なお、取付バネの形状、取付位置、本数等については、本実施形態のものに限定されない。
【００３５】
電源部５１は、光源部２１が有するＬＥＤ素子２５に給電を行って、ＬＥＤ素子２５を点灯させるための電源装置である。電源部５１は、箱状の電源ケース５２内に直方形状に加工されたプリント配線板上に複数の電子部品が実装された電源回路が収容されたものである。複数の電子部品は、動作時に発熱する部品が含まれている。電子部品から発する熱は、電源ケース５２に伝わる。電源部５１は、外部商用電源から供給される交流電流を所定の直流電流に変換し、変換後の電流を基板２２に実装された複数のＬＥＤ素子２５に供給するためのものである。電源部５１は、保持部材６１の他端側の上部に配置されている。電源部５１は、配線（図示せず）を介して端子台５３に電気的に接続されている。端子台５３は、電源部５１（電源ケース５２）の一側面に配置されている。埋込型照明器具１００を天井Ｃに取り付ける際、配線（図示せず）により端子台５３と天井裏側の外部商用電源（図示せず）とを接続することで、電源部５１は外部商用電源と電気的に接続される。電源部５１と基板２２は配線（図示せず）によって電気的に接続されている。
【００３６】
保持部材６１は、電源部５１を灯具本体１１の側方に保持して灯具本体１１に取り付ける部材である。保持部材６１は、熱伝導性を有する金属部材である。保持部材６１は、所定の弾性（バネ性）を有した板状のバネ材である。保持部材６１は、断面視コ字状で電源ケース５２を上部に配置する電源配置部６２と、該電源配置部６２の長手方向一端に連設される略長方形の板状部分であって灯具本体１１に支持される支持板部６３と、前記電源配置部６２の長手方向他端において下方に略直角に折り曲げて連設される略長方形の板状部分である折曲部６４とを有している。
【００３７】
保持部材６１が有する電源配置部６２は、電源部５１の一部を構成するものである。すなわち、電源部５１の外装は、一端が開放部を有する箱状の電源ケース５２と、該電源ケース５２の開放部を閉塞する電源配置部６２とによって形成される。電源ケース５２は、電源配置部６２の上面に固定される。
【００３８】
保持部材６１が有する支持板部６３は、電源部５１を灯具本体１１の側方に保持して灯具本体１１に取り付けるためのものである。支持板部６３の一端側は、灯具本体１１に点接触で取り付けられる。具体的には、支持板部６３は、放熱フィン４３の基端近傍に点接触で取り付けられる。支持板部６３は、支持板部６３の一端側近傍における幅方向の中央にヒートシンク４１が有するボス４６に対応するネジ取付部６３ａと、支持板部６３の一端側で幅方向両端の角部が略円弧状に角取りされた２箇所の角取り部６３ｂと、基板２２から貫通孔４２ｂを介して電線２０をヒートシンク４１外側に挿通するためのＵ字状の切欠き部６３ｃを有している。支持板部６３は、保持部材配置部４５の上方に保持部材６１の一端側が配置され、ネジ取付部６３ａをネジ８１によりボス４６のネジ螺合部４６ａに螺合することで、ヒートシンク４１に対して所定角度の範囲で回動可能に取り付けられる。具体的には、支持板部６３の一端側は、ヒートシンク４１の下部（根元部）とは、当接しておらず、所定の隙間を有している。ネジ取付部６３ａをネジ８１によりボス４６に螺合することで、図４に示すように、保持部材６１（支持板部６３）の一端側が、前記灯具本体１１が有するヒートシンク４１の基部４２（保持部材配置部４５）に点接触した状態で軸支されるので、該軸を中心にして前記保持部材６１の他端側を側面方向に所定角度（本実施形態では±２．５°）の範囲で回動可能となっている。角取り部６３ｂは、支持板部６３が該支持板部６３に近接する放熱フィン４３等に干渉しないようにして、側面方向に回動する範囲を確保するために、設けられている。保持部材６１（支持板部６３）は、図９に示すように、複数個（本実施形態では３個）の点接触部４７の上端に点接触している。
【００３９】
保持部材６１が有する折曲部６４は、電源配置部６２の他端から下方に延出される平板部６４ａと、該平板部６４ａから側方に延出されるとともに天井Ｃの裏面に当接する当接板部６４ｂとを有している。折曲部６４は、電源部５１と天井Ｃの裏面との間に所定の距離（沿面距離、１０ｍｍ以上）を確保するための部分である。
なお、本実施形態の保持部材６１は、所定の弾性（バネ性）を有しているため、図４に示す電源部５１側は、該電源部５１の自重により下方に下がるとともに、保持部材６１が有する折曲部６４（当接板部６４ｂ）が天井Ｃの裏面に当接して保持される。
【００４０】
以上説明した本実施形態の埋込型照明器具１００によれば、保持部材６１は、灯具本体１１に点接触で取り付けられる。これにより、灯具本体１１と電源部５１との間において熱の伝導を抑えることができる。すなわち、灯具本体１１と電源部５１とは、保持部材６１と点接触部４７によって点接触で接続するように取り付けられるため、特許文献１のような面接触での接続と比較して、灯具本体１１と電源部５１から発生する熱を分離しやすく、電源部５１側に基板２２（ＬＥＤモジュール）から発生する熱を伝導させにくい。換言すれば、保持部材６１は、点接触部４７によって支持されるため、保持部材６１（支持板部６３）とヒートシンク４１（保持部材配置部４５）との間に、所定のクリアランスＤを有するため、灯具本体１１と電源部５１から発生する熱を分離しやすく、電源部５１側に基板２２（ＬＥＤモジュール）から発生する熱を伝導させにくい。
【００４１】
本実施形態の埋込型照明器具１００によれば、保持部材６１は、電源部５１の一部を構成する。すなわち、保持部材６１を箱状の電源ケース（電源ボックス）５２の一側面として形成することによって、電源部５１から発生する熱を放熱させやすい。具体的には、本実施形態では、保持部材６１（電源配置部６２）上に別個に電源ボックスを取り付ける構造よりも電源ボックスの表面積を大きく形成することができるので、放熱性が向上する。
【００４２】
本実施形態の埋込型照明器具１００によれば、保持部材６１は、放熱フィン４３の基端近傍に点接触で取り付けられる。すなわち、保持部材６１（支持板部６３）は、灯具本体の放熱フィンの立ち上がり(根本)の位置に取り付けられる。これにより、ヒートシンク４１（放熱フィン４３）による放熱を妨げにくい。
【００４３】
本実施形態の埋込型照明器具１００によれば、保持部材６１は、バネ材で形成される。そのため、埋込型照明器具１００を取付穴Ｈに取り付ける際に、電源部５１を、ネジ８１近傍を支点として上下方向に回動できる。これにより、照明器具の施工性が向上する。例えば、天井裏の配置物（断熱材、配管、梁など）を回避して電源部５１を天井裏に配置できる。また、外部商用電源から延びる電源ケーブルを電源部５１に備わる端子台５３に接続する際に、電源部５１を任意の方向へ向けることで、端子台５３への電源ケーブルの接続が容易になる。
【００４４】
本実施形態の埋込型照明器具１００によれば、保持部材６１の一端側が、灯具本体１１に点接触した状態で軸支され、該軸を中心にして保持部材６１の他端側が側面方向に回動可能である。これにより、保持部材６１の他端側に保持される電源部５１を上下方向だけでなく側面方向にも可動させることができ、天井裏等における電源部５１の配置自由度が高まり、照明器具の施工性が向上する。
【００４５】
本実施形態の埋込型照明器具１００によれば、電源部５１は、保持部材６１が有する天井に対向する対向面の反対側の面上に設けられる。具体的には、埋込型照明器具１００では、電源部５１が保持部材６１の上面側（灯具本体１１における上側）に設けられる構成である。この構成よれば、沿面距離を設けるための折曲部６４を電源ケース５２側に設ける必要がなく、組み立てし易く量産性が高くなる。さらに、電源部５１の沿面距離は所定間隔（１０ｍｍ）以上であれば良いので、保持部材６１の下面側に電源部５１を配置するのでなく保持部材６１の上面側に設ければ電源部５１の高さ分だけ折曲部６４の長さを短く設けることができるので材料コストの低減となる。
【符号の説明】
【００４６】
１１  灯具本体
２１  光源部
４１  ヒートシンク
４７  点接触部
５１  電源部
６１  保持部材
１００  埋込型照明器具
Ｃ  天井
Ｈ  取付穴
【図１】
2015149124.tif 000003
【図２】
2015149124.tif 000004
【図３】
2015149124.tif 000005
【図４】
2015149124.tif 000006
【図５】
2015149124.tif 000007
【図６】
2015149124.tif 000008
【図７】
2015149124.tif 000009
【図８】
2015149124.tif 000010
【図９】
2015149124.tif 000011